(57)【特許請求の範囲】
【請求項１】
係合構造であって、第一装置と、第二装置と、前記第一装置と前記第二装置を固定接続するためのストッパーと、を含み、
前記ストッパーは、第一装置に配置された予め係合段階部と、第二装置に配置されたネジ部と、前記予め係合段階部と前記ネジ部との間に設けられる逃げ部と、を含み、
前記ストッパーは、ストッパー段階部をさらに含み、前記ストッパー段階部は、前記予め係合段階部と前記逃げ部との間に配置されるとともに前記第一装置で固定面に接触し、
前記逃げ部の高さは、前記第二装置が前記ストッパーより固定接続される面である固定面に前記ストッパー段階部が接触するように設定され、
当該係合構造は、第三装置をさらに含み、前記ストッパーが前記第三装置を抜けて前記第一装置と前記第二装置とを固定接続することによって、前記第一装置と前記第三装置との間に隙間のない接触面を形成する、係合構造。
【請求項２】
前記逃げ部の高さは０.０５ｍｍ以下である、請求項１に記載の係合構造。
【請求項３】
前記ネジ部と前記逃げ部は、前記第二装置に完全に固定されるとともに、前記予め係合段階部は、前記第一装置に完全に固定される、請求項１に記載の係合構造。
【請求項４】
前記ストッパー段階部の直径は、前記ネジ部の最大外径よりも大きい、請求項１に記載の係合構造。
【請求項５】
前記逃げ部の直径は、前記ネジ部の最小内径の以下である、請求項１に記載の係合構造。
【請求項６】
前記ストッパーの前記第一装置での差し込む方向は、前記接触面に平行する、請求項１に記載の係合構造。
【請求項７】
前記ストッパーの数量は２個である、請求項１に記載の係合構造。
【請求項８】
前記第一装置と前記第二装置を接続するための位置決め装置をさらに含み、前記第二装置の底に前記位置決め装置に対応する溝が設けられ、前記第一装置は、溝に差し込む前記位置決め装置によって前記第二装置に固定される、請求項１に記載の係合構造。
【請求項９】
前記位置決め装置の第二装置での差し込む方向は、前記ストッパーの第二装置での差し込む方向に直交する、請求項８に記載の係合構造。
【請求項１０】
前記第一装置は、基台であって、第二装置は、基台固定ブラケットである、請求項１に記載の係合構造。
【請求項１１】
前記第三装置は、ハウジングである、請求項１に記載の係合構造。
【請求項１２】
前記第一装置は溝を含み、
前記溝は、球状部と、前記球状部と連通する円筒状部と、を含み、
前記ストッパーが前記球状部から自由に出し入れることができるように、前記球状部の直径が前記ストッパーの前記予め係合段階部の直径より大きく、
前記ストッパーの前記ストッパー段階部が前記円筒状部に係合できるように、前記円筒状部の直径が前記ストッパーの前記ストッパー段階部の直径より小さい、請求項１に記載の係合構造。
【請求項１３】
前記係合構造は、前記第一装置と前記第二装置を接続するための位置決め装置をさらに含み、
前記第二装置の底に前記位置決め装置に対応する溝が設けられており、その結果、前記第一装置は、溝に差し込む前記位置決め装置によって前記第二装置に固定され、前記位置決め装置の前記第二装置での差し込む方向は、前記ストッパーの前記第二装置での差し込む方向に直交する、請求項１に記載の係合構造。
【請求項１４】
請求項１から請求項１３のいずれか一項に記載の係合構造を含む、ディスプレイ機器。
【請求項１５】
ディスプレイと、基台と、を更に含み、前記係合構造によって前記ディスプレイが前記基台に固定される、請求項１４に記載のディスプレイ機器。
【発明の詳細な説明】
【技術分野】
【０００１】
関連出願の相互参照
本願は、２０１５年１月１９日出願の中国特許出願第２０１５２００３５８７１．７号に基づく優先権を要求し、そのすべての内容はここに参照として取り込まれる。
【０００２】
本発明の実施例は、係合構造及びディスプレイ機器に関する。
【背景技術】
【０００３】
従来、ディスプレイは、机或いは地面に置かれた基台によって机或いは地面に配置される。基台は、ディスプレイを支持し固定するものとして機能する。
【０００４】
通常、基台は、ディスプレイの後ハウジングに取り付けられる。例えば、図１に示すように、基台における後ハウジングに接触する基台端面に予め位置決め構造が設けられ、この構造によって、基台を後ハウジングに係合することができる。基台は、ストッパーによって基台固定ブラケットにロックされることで固定される。
【発明の概要】
【発明が解決しようとする課題】
【０００５】
但し、上記構造では、ストッパーの実際の取付け高さが理想の取付け高さよりも高いため、ストッパーが基台を完全に固定することができない。基台端面に平行する方向で基台に力が付勢される場合、基台端面と後ハウジングの端面との間の隙間が大きくなりやすく、基台を変形させ反らせる。
【課題を解決するための手段】
【０００６】
第一の発明は、係合構造であって、第一装置と、第二装置と、前記第一装置と前記第二装置を固定接続するためのストッパーと、を含み、
前記ストッパーは、第一装置に設けられた予め係合段階部と、第二装置に設けられたネジ部と、前記予め係合段階部と前記ネジ部との間に設けられる逃げ部と、を含み、
前記逃げ部の高さは、前記第二装置が前記ストッパーより固定接続される端面である固定面に前記予め係合段階部が接触するように設定される。
第二の発明は、前述した係合構造を含む、ディスプレイ機器である。
【０００７】
本願実施例の構成を明らかにするために、以下は実施例の図面を簡単に説明する。無論、以下の説明における図面はあくまでも本発明の実施例の一部に関するものであり、本発明の範囲をこれに限定する趣旨ではない。
【図面の簡単な説明】
【０００８】
【図１】図１は、従来技術にかかる係合構造の構成模式図である。
【図２】図２は、本発明の実施例にかかるストッパーの構成模式図である。
【図３】図３は、本発明の実施例にかかるストッパーに嵌め合う溝の構成模式図である。
【図４】図４は、本発明の実施例にかかる図２のストッパーを含む係合構造の構成模式図である。
【図５】図５は、本発明の実施例にかかる係合構造を含むディスプレイ機器の構成模式図である。
【発明を実施するための形態】
【０００９】
本発明実施例の目的、構成及び効果を更に明確するためには、以下は本発明実施例の図面を結合して、本発明実施例の技術案を明瞭かつ全面に説明する。無論、説明した実施例は本発明の一部であり、すべての実施例ではない。説明した本発明の実施例に基づいて、当業者は創造的な労働を払わずに得られる他の実施例のすべてが、本発明の保護範囲に含まれる。
【００１０】
（実施例１）
【００１１】
図２から図４を参照し、本発明の実施例１は、第一装置２２と、第二装置３３と、前記第一装置２２と前記第二装置３３を固定接続するためのストッパー１１と、を含む係合構造１０を提供する。第一装置２２は、例えば、基台である。第二装置３３は、例えば、基台固定ブラケットである。ストッパー１１は、例えば、スクリューである。
【００１２】
図２に示したように、ストッパー１１は、ネジ部１１１と、逃げ部１１２と、予め係合段階部１１３と、を含み、逃げ部１１２は、予め係合段階部１１３とネジ部１１１との間に設けられる。
【００１３】
逃げ部１１２の高さは、ストッパー１１のネジ部１１１と逃げ部１１２が第二装置３３に完全に固定られ、前記予め係合段階部１１３が第一装置２２に完全に固定られるとともに、第二装置３３がストッパー１１により固定接続される端面である固定面に前記予め係合段階部１１３（例えば、その下の表面）が接触するように、予定の範囲内に設定されることができる。
【００１４】
ネジ部１１１がスクリューを有するため、ストッパー１１を第二装置３３に捻じ込むことに役に立つ。
【００１５】
従来技術において、ネジ部は、容易に完全ロックされることができないので、その取付け高さが所定の高さより高くなり、ストッパーが移動しやすい問題が発生する。そのため、本発明の実施例は、ストッパーのネジ部の完全のロックが容易になり、ストッパーの取付け高さを予定の高さの範囲内に設定し、ストッパーの移動が難しくなることができる。
【００１６】
本発明の少なくとも１つの実施例において、逃げ部の高さは、０.０５ｍｍ以下であるように設定される。
【００１７】
０.２〜０.５ｍｍしかない従来の高さに対して、上記の高精度は、ネジ部を完全にロックさせることができる。つまり、本発明の実施例の高精度は、ストッパー１の高さと予め定の高さとを一致させることができ、ストッパーの移動が難しくなる。
【００１８】
本発明の少なくとも１つの実施例において、逃げ部１１２の直径は、ネジ部１１１の最小内径の以下である。
【００１９】
本発明の少なくとも１つの実施例において、ストッパー１１は、ストッパー段階部１１４をさらに含み、ストッパー段階部１１４は、予め係合段階部１１３と逃げ部１１２との間に設けられる。例えば、ストッパー段階部１１４の直径は、ネジ部１１１の最大外径より大きい。
【００２０】
ストッパー１１によって第一装置２２と第二装置３３とを接続する場合、ストッパー段階部１１４は、第一装置に位置されるとともに前記固定面に接触し、ストッパー１１の逃げ部１１２が第二装置３３に完全に沈む。
【００２１】
本発明の少なくとも１つの実施例において、上述した構造を有するストッパー１１は、ストッパー１１の緩みが困難になるように、図３に示したような溝１２に取り付けることができる。溝１２は、球状部１２１と円筒状部１２２とを含み、球状部１２１の直径がストッパー１１の予め係合段階部１１３の直径よりやや大きいので、ストッパーが球状部１２１から自由に出し入れることができる。それに、円筒状部１２２の直径がストッパー１１のストッパー段階部１１４の直径よりやや小さいので、ストッパー１１のストッパー段階部１１４が円筒状部１２２に係合されることができる。具体的に、使用する場合、まずストッパー１１の上端部をｘ方向に沿って溝１２の球状部１２１に差し込み、次にストッパー１１がｘ方向に直交するｙ方向の溝１２の円筒状部１２２に沿って移動することによって、ストッパー段階部１１４を円筒状部１２２に係合させる。
【００２２】
以上、ストッパー構造にマッチする溝の形状及び対応する係合過程について、例を挙げて説明することのみであり、本発明は、当該実施形態に記載の溝構造及び形態に限らず、本発明のストッパー構造にマッチできる溝の複数の構造及び形態にて実現することである。
【００２３】
ネジ部１１１と逃げ部１１２が第二装置３３に固定される場合、ストッパー１１の予め係合段階部１１３は、前記第一装置に内蔵され。よって、第一装置２２の外部からストッパー１１を見ようとする際に、ストッパー１１は見えない。
【００２４】
図４に示したように、ストッパー１１は、第一装置２２と第二装置３３との接続に適用されることができ、ただし、第一装置２２の中に図３に示したような溝が設けられ、ストッパー１１を第一装置２２の溝に係合させることができる。ストッパー１１の予め係合段階部１１３は、第一装置２２に内蔵することができる。これによって、第一装置２２の外部からストッパー１１を見ようとする際に、ストッパー１１が見えない。このようなストッパー１１が第一装置２２に内蔵される構造形態は、第一装置２２の外観が美しくなり、一体化に形成される。
【００２５】
本発明の少なくとも１つの実施例において、係合構造１０は、第三装置４４をさらに含み、図４に示したように、第三装置は例えばハウジングであって、第二装置３３と第三装置４４とは接続される。ストッパー１１がこの第三装置を抜けて第一装置２２と第二装置３３とを固定接続した後に、前記第一装置２２と前記第三装置３３との間に隙間のない接触面が形成され、例えば、第一装置２２の１つの端面２２１は、第三装置４４の１つの端面４４１にスムーズに接触される。
【００２６】
第一装置の端面２２１に予め位置決め構造が設けられる（図１に示したように）従来技術に異なり、本発明の実施例では、第一装置の端面２２１と第三装置の端面４４１とはスムーズに接触する。本発明にかかる構造において、ストッパー１１を第一装置に固定する前に、人でアライメントする必要がなく、より簡単に第一装置を第三装置に取り付けることができることはわかられる。
【００２７】
本発明の実施例において、第一装置２２は、大きいベースプレートと一定の高さを有する支柱とによって構成され、かつ第一装置２２の重心が一般的にシャーシに近いことを考慮した。そのため、ストッパー１１は、第一装置２２と第三装置４４との接触面、例えば、第一装置２２の端面２２１に近いように設けられる。第一装置が図４に示した方向の外力を受けると、第一装置の端面２２１と第三装置の端面４４１との隙間が大きくなりにくい。
【００２８】
本発明の少なくとも１つの実施例において、ストッパー１１の第一装置２２での差し込む方向は、第一装置２２と第三装置４４との接触面に平行する。
【００２９】
図４を参照し、ストッパー１１の第一装置２２での差し込む方向は、第一装置の端面２２１に平行することによって、第一装置が図４に示した外力を受ける場合に変形や撓み或いは隙間の増大という問題が発生しないことが可能になり、構造が美しくなる。
【００３０】
なお、図４は係合構造の断面図のみである。当該断面図にストッパーが１つのみ表示された。実際に、係合構造の全体にストッパーが２つ設けられてもよい。通常の４〜６つのストッパーが必要となる従来技術に比較すると、ストッパーをより少なく使用することができるため、コストが低下する。
【００３１】
本発明の少なくとも１つの実施例において、係合構造は、前記第一装置２２と第二装置３３を接続するための位置決め装置６６をさらに含み、第二装置３３の底に位置決め装置６６に対応する溝が設けられ、第一装置２２は、溝に差し込まれた位置決め装置６６によって第二装置３３に固定される。位置決め構造６６は、例えばスクリューである。
【００３２】
図４に示したように、位置決め装置６６の第二装置３３での差し込む方向は、前記ストッパー１１の第二装置３３での差し込む方向に直交し、当該位置決め装置６６を設けることによって、基台をハウジングに接続される基台固定ブラケットにさらに安定に固定することができる。それに、位置決め構造は、基台の底に設けられ、容易に見られなくて、外観が美しくなる。
【００３３】
（実施例２）
【００３４】
本発明の実施例２は、ディスプレイ機器１であって、図５に示したように、当該ディスプレイ機器１は、ディスプレイ２０と、ディスプレイ回路３０と、上述したいずれの１つの実施例に記載の係合構造１０と、を含む。当該ディスプレイ機器は、基台（図示せず）をさらに含み、前記係合構造によって前記ディスプレイが基台に固定される。
【００３５】
係合構造１０の具体的な構造は、図２〜４を参照し、ここで省略する。
【００３６】
以上記載したのは、本発明の保護範囲を限定するものではなく、本発明の実施形態の例示に過ぎない。本発明の保護範囲は、添付の特許請求の範囲によって確定される。
【符号の説明】
【００３７】
１１  ストッパー
１１１  ネジ部
１１２  逃げ部
１１３  予め係合段階部
１１４  ストッパー段階部
１２  溝
１２１  球状部
１２２  円筒状部
２２  第一装置
３３  第二装置
４４  第三装置
２２１  第一装置端面
４４１  第三装置端面
６６  位置決め装置
１０  係合構造
１  ディスプレイ機器
２０  ディスプレイ
３０  ディスプレイ回路
【図１】
0006762235.tif 000002
【図２】
0006762235.tif 000003
【図３】
0006762235.tif 000004
【図４】
0006762235.tif 000005
【図５】
0006762235.tif 000006